(57)【要約】【課題】間接活線作業等の高所作業において、高い安全性及び信頼性と設置の簡便さと容易さに優れ、しかも効果的に作業箇所周辺を照明することが可能な照明具と照明装置を提供する。【解決手段】一の端部に電線を把持可能な先端具１６，１７と他の端部に連結具２４とを備える間接活線工具１４に連結可能な照明具１であって、前記連結具２４に着脱自在に連結可能な連結部８，９と、棒状に形成され軸方向に光源３が配置される照明部２と、この照明部２に電力を供給する電力供給部５とを有する。【選択図】図１
2016129122.tif 000002
【特許請求の範囲】
【請求項１】
一の端部に線状部材を把持可能な先端具と他の端部に連結具とを備える間接活線工具に連結可能な照明具であって、前記連結具に着脱自在に連結可能な連結部と、棒状に形成され軸方向に光源が配置される照明部と、この照明部に電力を供給する電力供給部とを有することを特徴とする照明具。
【請求項２】
一の端部に線状部材を把持可能な先端具と他の端部に連結具とを備える間接活線工具に連結可能な照明具であって、一の端部に前記連結具に連結される第１の連結部と、棒状に形成され軸方向に光源が配置される照明部と、この照明部に電力を供給する電力供給部と、他の端部に第１の連結部と連結可能な形状を有する第２の連結部を有することを特徴とする照明具。
【請求項３】
一の端部に線状部材を把持可能な先端具と、他の端部に連結具と、充電中の電線への作業員の接近を抑制するための限界ツバとを備える間接活線工具と、前記限界ツバよりも前記他の端部側に連結される請求項１又は請求項２に記載される照明具と、を有することを特徴とする照明装置。
【請求項４】
端部に前記間接活線工具の連結具に着脱自在に連結可能な第３の連結部と、把持部とを備えることで、前記照明具に代えて前記連結具に連結可能な足し棒を有することを特徴とする請求項３記載の照明装置。
【発明の詳細な説明】
【技術分野】
【０００１】
本発明は、電線工事における間接活線工事等の高所作業時に用いられる照明部及び照明装置に係り、特に、ストレーリングトング等の間接活線工具の下端部に着脱自在に連結可能な照明具とこの照明具を間接活線工具の下端部に備えた照明装置に関する。
【背景技術】
【０００２】
従来、電線工事における間接活線工事等の高所作業において、照明が必要な夜間や暗所では、サーチライトやヘッドライト等の汎用の照明具を使用して作業を行っている。
しかし、従来の汎用の照明具では、下方からの照射によって影ができたり、ヘッドライトでは照明が動いたりして、安定した作業を行うことが困難であるという課題があった。
そこで、このような課題を解決するものとして、例えば、特許文献１には「照明器具」という名称で、光源を有する照明部と、照明部を両側から支持する一対の支持部と、それらの支持部の端部に架空線に着脱される着脱部とを備える発明が開示されている。
このような発明によれば、架設される電気設備におけるさまざまな種類の作業に対して、フレキシブルに対応することが可能である。
【０００３】
また、特許文献２には「高所作業用照明装置」という名称で、活線状態にある高電圧送電線に着脱自在に装着され内部に誘導電力を発生する誘導コイルを備えたクランプと、このクランプの誘導コイルに接続された点灯回路と、この点灯回路に接続した蛍光ランプとを有する考案が開示されている。
このような考案によれば、下部電源装置も不要であり、高所での活線作業等を安全、確実に実施することが可能である。
【０００４】
さらに、特許文献３には「作業用照明具」という名称で、架空線又は棒状部材に着脱自在に固定可能なクランプと、このクランプが屈折自在な関節部を有するアーム部とそのアーム部の先端に固定された照明灯を備えた発明が開示されている。
このような発明によれば、高所作業において照明の照射方向が調整可能であり、作業箇所に容易に光を当てることができる。
【先行技術文献】
【特許文献】
【０００５】
【特許文献１】特開２０１１−１０８５４６号公報
【特許文献２】実願平１−１３６０６３号（実開平０３−７６３０１号）のマイクロフィルム
【特許文献３】特開２０１０−２６２７５３号公報
【発明の概要】
【発明が解決しようとする課題】
【０００６】
しかしながら、特許文献１に開示された発明においては、２本の電線に跨って設置する構成であるので、設置が簡便でなく、設置時間を要するという課題があった。また、可撓性を有するシート状の有機ＥＬで形成される照明部を巻着してコンパクトに収納することを可能にしているが、巻着後の巻き崩れなどの発生が予想され、持ち運びや取扱いが煩雑であるという課題があった。
【０００７】
また、特許文献２に開示された考案においては、直接高圧送電線に吊設する構成であり、高圧送電線から電源を確保可能であるものの高圧送電線と設置距離が近く、安全性が低いという課題があった。
【０００８】
そして、特許文献３に開示された発明においては、クランプとアームと照明灯を備え、クランプを電線や間接活線工具等に把持して、アームで照射位置を調整して作業箇所を狙って照明灯で照明することができるが、作業箇所周辺を全体的に照明することができないという課題があった。また、クランプは電線を直接把持する構成になっているが、特許文献２に開示される考案と同様に電線と設置距離が近く、安全性が低いという課題があった。
【０００９】
本発明は、このような従来の事情に対処してなされたものであり、間接活線作業等の高所作業において、高い安全性及び信頼性と設置の簡便さと容易さに優れ、しかも効果的に作業箇所周辺を照明することが可能な照明具と照明装置を提供することを目的とする。
【課題を解決するための手段】
【００１０】
上記目的を達成するため、請求項１記載の発明である照明具は、一の端部に線状部材を把持可能な先端具と他の端部に連結具とを備える間接活線工具に連結可能な照明具であって、前記連結具に着脱自在に連結可能な連結部と、棒状に形成され軸方向に光源が配置される照明部と、この照明部に電力を供給する電力供給部とを有するものである。
上記構成の照明具では、間接活線工具の先端具を利用して電線や電柱の足場ボルトのような線状部材を把持し、その下方で間接活線工具の連結具と連結した連結部によって鉛直方向に棒状の照明部が吊設されるように作用する。
【００１１】
また、請求項２記載の発明である照明具は、一の端部に線状部材を把持可能な先端具と他の端部に連結具とを備える間接活線工具に連結可能な照明具であって、一の端部に前記連結具に連結される第１の連結部と、棒状に形成され軸方向に光源が配置される照明部と、この照明部に電力を供給する電力供給部と、他の端部に第１の連結部と連結可能な形状を有する第２の連結部を有するものである。
上記構成の照明具では、間接活線工具の先端具を利用して電線や電柱の足場ボルトのような線状部材を把持し、その下方で間接活線工具の連結具と連結した第１の連結部によって鉛直方向に棒状の照明部が吊設されるように作用し、さらに、照明具の第２の連結部が、別個の照明具の第１の連結部と連結するように作用する。
【００１２】
さらに、請求項３記載の発明である照明装置は、一の端部に線状部材を把持可能な先端具と、他の端部に連結具と、充電中の電線への作業員の接近を抑制するための限界ツバとを備える間接活線工具と、前記限界ツバよりも前記他の端部側に連結される請求項１又は請求項２に記載される照明具と、を有するものである。
上記構成の照明装置では、請求項１又は請求項２に記載される照明具の作用に加えて、限界ツバが作業員の充電中の電線への接近の限界を示すように作用し、その結果、感電事故を防止して電気的に安全な領域内で照明具を連結させるように作用する。
【００１３】
最後に請求項４に記載の発明である照明装置は、請求項３記載の照明装置において、端部に前記間接活線工具の連結具に着脱自在に連結可能な第３の連結部と、把持部とを備えることで、前記照明具に代えて前記連結具に連結可能な足し棒を有するものである。
上記構成の照明装置では、照明装置として使用しない場合には足し棒を連結することで、把持部が、作業員による支持のための握り部として作用し、間接活線工具が、そのまま間接活線工具として作用する。
【発明の効果】
【００１４】
本発明の請求項１に記載の照明具では、間接活線工具の先端具を利用して電線や電柱の足場ボルトを把持して、棒状の照明部を電線の下方や電柱の足場ボルト周辺に簡単に配置することができる。また、電線のように両端が延伸しており途切れた端部が近辺に存在していないような構造の線状部材では、先端具によって環状に把持することで作業時に外れて脱落する可能性を極めて低くすることができ、照明具としての信頼性を高めることが可能である。
【００１５】
本発明の請求項２に記載の照明具では、請求項１に記載の照明具の効果に加えて、照明具の第２の連結部を、別個の照明具の第１の連結部と連結させることが可能であるため照明具を連ねた状態で吊設することができる。従って、照明具をユニットとして取り扱うことができ、目的とする作業に必要な照度に応じて照明具を連結することが可能であり、さらに光源も必要とされる作業に応じて照明具単位で組み合わせることが可能である。
【００１６】
本発明の請求項３に記載の照明装置では、作業員が充電中の電線への接近限界を示す限界ツバよりも他の端部に照明具を連結することで、充電中の電線の近辺での作業中においても感電事故を予防しながら照明具の間接活線工具への着脱作業を安全に実施することが可能であり、また、照明具の周辺で作業することで、作業者自身の安全も担保されることになる。さらに、請求項２に記載された照明具を備える照明装置では充電中の電線近辺において、別個の照明具を連結したり、連結を解除したりする作業も行うことが可能となる。
また、照明装置に間接活線工具を含むことで、外観は間接活線工具とほぼ同等とすることができ、取扱いや収納も間接活線工具と共通にすることが可能であり、導入が容易である。
【００１７】
本発明の請求項４に記載の照明装置では、照明装置を構成する間接活線工具に、照明具に代えて足し棒を連結することで、通常の間接活線工具として使用することが可能である。
この足し棒を足すことで通常の間接活線工具よりも長尺化させることも可能である。また、通常の間接活線工具の把持部を短尺化する改造等を施した間接活線工具を使用する場合には、通常の間接活線工具の把持部としても機能させることもできる。
また、請求項２に記載された照明具を備える照明装置では、一部の照明具に代えて連結可能とすることも可能であり、装置の汎用性を高めることが可能となる。
従って、作業現場へ搬入する装置の量を減らして効率的に作業することが可能となる。
【図面の簡単な説明】
【００１８】
【図１】本発明の第１の実施の形態に係る照明具の概念図である。
【図２】（ａ）は本発明の第２の実施の形態に係る照明装置の概念図、（ｂ）は、第２の実施の形態に係る照明装置の連結構造を拡大して示す概念図である。
【図３】本発明の第２の実施の形態に係る照明装置の使用概念図である。
【図４】本発明の第１の実施の形態に係る照明具の他の実施例を説明するための概念図である。
【図５】本発明の第２の実施の形態に係る照明装置の他の実施例を説明するための概念図である。
【発明を実施するための形態】
【００１９】
以下に、本発明の第１の実施の形態に係る照明具１について図１を参照しながら説明する。
図１は、本発明の第１の実施の形態に係る照明具の概念図である。
図１に示すように、第１の実施の形態に係る照明具１は、棒状に形成されて複数のＬＥＤ３が軸方向に設置される照明部２と、これら複数のＬＥＤ３に電力を供給するバッテリーボックス５とを備え、また、照明部２の上部には連結具としてツイストロック金具（凸型）８を備え、このツイストロック金具（凸型）８はストレーリングトング等の間接活線工具の下部に改良して設けられた連結部であるツイストロック金具（凹型）（図２（ａ），（ｂ）参照）と着脱自在に連結可能である。
そして、照明部２は、図中では正面のみ示しているが、円柱状あるいは円筒状に形成され周方向においても複数のＬＥＤ３が設置されており、スイッチ６を入れてバッテリーボックス５から各ＬＥＤ３に電力が供給されると、ＬＥＤ３は点灯し、照明部２の全周にわたって照明されるようになっている。照明部２はある一方向のみ照明するように構成されてもよいが、一般的には周方向の全周にわたって周囲を照明することが望ましい。なお、符号４は透明なプラスチック等で形成されるカバーである。
【００２０】
ツイストロック金具８は、一対の係止ピン９，９と弾性を備えた弾発部材１０を備えており、連結の仕組みについては後述するが、照明部２の下部のツイストロック金具（凹型）１１と同形状の受け側のツイストロック金具に着脱自在に連結することができる。なお、ツイストロック金具（凹型）１１には、ガイド溝１２、一対の係止凹部１３，１３が形成されており、ツイストロック金具（凸型）８と同形状のツイストロック金具を備える部材を照明具１の下方に連結することができる。
具体的には、ツイストロック金具（凸型）８の係止ピン９をツイストロック金具（凹型）１１のガイド溝１２から挿入して、９０度水平方向へ回転させた後に係止ピン９を係止凹部１３に収容することで、ツイストロック金具を用いてその部材を照明具１の下方に連結することができるである。従って、例えば他の別個の照明具１をこの照明具１に連結して照明具１を２個繋いだ状態で使用することが可能である。従って、作業現場に必要とされる照度に応じて複数の照明具１を連結して使用することが可能となり、作業効率の向上と作業現場の安全性を容易に高めることができる。
【００２１】
次に、図２（ａ），（ｂ）を用いて、本発明の第２の実施の形態に係る照明装置について説明する。図２（ａ）は本発明の第２の実施の形態に係る照明装置の概念図、（ｂ）は、第２の実施の形態に係る照明装置の連結構造を拡大して示す概念図である。図から理解されるように、図２（ａ），（ｂ）は、図１に示される第１の実施の形態に係る照明具１の使用状態を示す概念図でもある。
図２（ａ）において、照明装置１ａは、ストレーリングトング１４と照明具１を連結したものである。ストレーリングトング１４は、先端部に電線２７を把持可能なヘッド１６及びジョー１７からなる先端具を備えた間接活線工具であり、絶縁棒１５には雨滴のしたたり落ちを防ぐ雨切り２０、保護表示２１、作業員が充電中の電線近辺で作業する際に電線に対する接近の限界距離を示すための限界ツバ２３及びその限界ツバ２３が電線側、すなわち危険側にずれないように制止するツバ止２２が設置されている。さらに、ストレーリングトング１４の下部には、照明具１のツイストロック金具（凸型）８と連結可能なツイストロック金具（凹型）２４が設置されている。
従って、照明具１とストレーリングトング１４が連結される場合には、常に照明具１は限界ツバ２３よりも下方、すなわち、電線から遠い側の安全側に配置されることになり、電線が充電中であってもスイッチ６のオンオフはもちろんのこと、照明具１の脱着作業、照明具１による照明下での作業においても安全性を維持することができる。
作業者は、ストレーリングトング１４の下部に連結された照明具１の光を頼りに、停電中及び充電中の両方で作業を実施することができる。照明具１はストレーリングトング１４に連結されているので、作業員は、限界ツバ２３よりも下方の部分を軸方向に回動することで、ヘッド１６によって回動を抑制されたジョー１７を上下動させて電線を把持することで照明装置１ａを電線に固定することができる。
照明具１とストレーリングトング１４の連結は、照明具１のツイストロック金具（凸型）８とストレーリングトング１４のツイストロック金具（凹型）２４を用いたツイストロック式による連結であり、以下、これらの連結方法について説明する。
【００２２】
ツイストロック金具（凹型）２４には、正面からみるとＴ字型を示すガイド溝２５と、一対の係止凹部２６，２６が形成されており、照明具１のツイストロック金具（凸型）８の一対の係止ピン９，９をツイストロック金具（凹型）２４のガイド溝２５の垂直部分に沿うように、ツイストロック金具（凸型）８をツイストロック金具（凹型）２４に挿入する。続いて、一対の係止ピン９，９がガイド溝２５の水平部分に沿うように、ツイストロック金具（凸型）８を９０度水平方向に回転し、最後に、一対の係止ピン９，９の両端部を一対の係止凹部２６，２６にそれぞれ係止させると、ツイストロック金具（凸型）８はツイストロック金具（凹型）２４と連結できる。
また、このとき、ツイストロック金具（凸型）８の弾発部材１０はツイストロック金具（凹型）２４の上部に押圧され、その反力で付勢されて一対の係止ピン９，９を一対の係止凹部２６，２６に係止する方向に押し付けるので、ツイストロック金具（凸型）８とツイストロック金具（凹型）２４の連結を強固にすることができる。
さらに、固定ネジ７の締結によって、一対の係止ピン９，９の係止状態を安定して保持することができる。この固定ネジ７は図２（ｂ）に示されるとおり、照明具１のツイストロック金具（凸型）８の周囲において回転しながら上方、すなわち、より端部側へ移動してツイストロック金具（凹型）２４のガイド溝２５の出口を塞ぐことでツイストロック金具（凸型）８の係止ピン９が外れることがないように固定するものである。
なお、図２（ａ）ではヘッド１６に対してジョー１７が隙間を有して電線２７を把持しているが、ヘッド１６とジョー１７が環状の空間を形成してその中に電線２７を閉じ込めるように把持できる場合には、照明具１が電線２７から作業時に外れて脱落する可能性を極めて低くすることができる。
【００２３】
以上説明したとおり、照明具１とストレーリングトング１４はツイストロック式の金具によって簡単に連結することができる。もちろん、連結手段はツイストロック式に限定するものではなく、照明具１とストレーリングトング１４を連結、固定できる手段であればその方式は限定しない。
また、ストレーリングトング１４は電線に着脱自在な既存の間接活線工具であるから、電線への着脱に際しては信頼性が高く安全面においても問題がない。さらに、照明具１はストレーリングトング１４の限界ツバ２３よりも下方に配置されるので、前述のとおり、設置や取り外し、あるいは使用時の取り扱い時において安全性が十分に担保される。従って、照明装置１ａは、従来の工具を利用した安全で簡単に電線に設置可能な照明装置であるといえる。
【００２４】
次に、図３を用いて、照明装置の電線への設置について説明する。図３は、本発明の第２の実施の形態に係る照明装置の使用概念図である。また、第１の実施の形態に係る照明具の使用概念図でもある。
図３において、電柱２８には３本の電線２７ａ，２７ｂ，２７ｃが架設されており、そのうちの２本の電線２７ａ，２７ｃに各１個の照明装置１ａが吊設されている。各照明装置１ａは、図２（ａ），（ｂ）を参照して説明したとおり照明具１とストレーリングトング１４を連結して構成されている。これら２個の照明装置１ａが設置される周辺では、全体的に照明することが可能となり、電線工事等の作業を安全に行うことができる。しかも、ストレーリングトング１４を電線に把持するだけで設置することができるので、極めて簡便かつ確実な設置となる。
また、照明具１はストレーリングトング１４と類似の形状を有しているので、ストレーリングトング１４との連結を外した場合には、ストレーリングトング１４等の間接活線工具と同様の取扱いが可能であり、照明具１専用の収納場所を設置する必要がなく、持ち運びや収納面における利便性が高い。
以上説明したように、本実施例の照明具１及び照明装置１ａによれば、照明具１の棒状の周方向に設置される照明部２によって照明具１の周辺を全体的に照明することができる。
また、照明具１のストレーリングトング１４への連結は、それぞれに設置されるツイストロック金具を用いたツイストロック式であるので、簡単な動作によって確実に行うことができる。
そして、照明装置１ａにおいては、ストレーリングトング１４によって電線に簡便に着脱することができ、また、ストレーリングトング１４の限界ツバ２３よりも下方に照明具１を設置しているので安全性が担保されたものとなる。
さらに、照明具１はストレーリングトング１４等の間接活線工具と類似の形状を備えているので、間接活線工具と同様の取扱いや収納が可能となる。
【００２５】
以下、照明具１及び照明装置１ａに関する他の実施例について説明する。
まず、図４を参照しながら、第１の実施に形態に係る照明具の他の実施例について説明する。図４は、第１の実施の形態に係る照明具の他の実施例を説明するための概念図であり、ストレーリングトング１４の先端部に設けられて電線を把持可能なヘッド３１及びジョー３２からなる先端具にツイストロック金具（凹型）３３を備えた先端具ハンディトング３０が示されている。
このように構成されるハンディトング３０のツイストロック金具（凹型）３３に照明具１のツイストロック金具（凸型）８を連結することで、照明具１の他の実施例が概念できる。このようなハンディトング３０を連結することで、第２の実施の形態に係る照明装置１ａのような限界ツバ２３を備えていないため、充電中の電線に関する作業には用いることができないが、停電中の電線に対してはヘッド３１とジョー３２の組み合わせによって、容易に把持することができる。さらに、第１の実施の形態と同様に、図４に示されるヘッド３１とジョー３２を組み合わせて環状の空間を形成できる場合には、環状の空間内に閉じ込めるように把持することが可能であり、照明具１が作業時に外れて脱落する可能性を極めて低くすることができる。従って、照明具としての信頼性を高めることができる。
【００２６】
さらに、図５を参照しながら、第２の実施の形態に係る照明装置の他の実施例について説明する。図５は第２の実施の形態に係る照明装置の他の実施例を説明するための概念図であり、上部に、係止ピン３７を備えたツイストロック金具（凸型）３６と固定ネジ３８を有し、下部にキャップ４０を有した把持部３９から構成される足し棒３５が示されている。
この足し棒３５は、図２（ａ），（ｂ）を参照しながら説明した照明装置１ａの照明具１に代えて、接続されるものである。照明装置１ａの補助具として足し棒３５を備えることで、照明具１を用いない場合に、通常よりも長いストレーリングトング１４として利用したい場合、あるいはストレーリングトング１４の把持部を改造して短尺化したストレーリングトング１４であれば通常のストレーリングトング１４の長さで利用したい場合に活用することができる。さらに、図１を参照して説明した照明具１のようにその下部にツイストロック金具（凹型）１１を備えており、複数の照明具１が連結可能である場合には、一部の照明具１を外して足し棒３５と混合して連結する場合も作業現場の状況に応じて可能である。
ストレーリングトング１４と照明具１及び足し棒３５の組み合わせによって、様々な作業現場で対応可能であり、ストレーリングトング１４を主要な構成要素として利用できるので、取扱いや収納についてもストレーリングトング１４自身と共通であることが多く、作業者が慣れていることから装置を導入することに抵抗がなく容易となる。
【００２７】
以上のように、本発明に係る照明具１及び照明装置１ａによれば、従来の間接活線工具を利用して、高所の電線等に簡便に吊設して作業箇所周辺を全体的に照明することできるので、高所作業を安全に効率よく行うことが可能となる。また、照明具１や照明装置１ａは間接活線工具と同様に取り扱うことができるので、従来の作業環境を変更することなく、作業者の負担を軽減することができる。
【産業上の利用可能性】
【００２８】
本発明は、電線工事における間接活線工事等の高所作業時や電柱廻りの作業において、安全で使い勝手のよい汎用な照明として利用が可能である。
【符号の説明】
【００２９】
１…照明具  １ａ…照明装置  ２…照明部  ３…ＬＥＤ  ４…カバー  ５…バッテリーボックス  ６…スイッチ  ７…固定ネジ  ８…ツイストロック金具（凸型）  ９…係止ピン  １０…弾発部材  １１…ツイストロック金具（凹型）  １２…ガイド溝  １３…係止凹部  １４…ストレーリングトング  １５…絶縁棒  １６…ヘッド  １７…ジョー  ２０…雨切り  ２１…保護表示  ２２…ツバ止  ２３…限界ツバ  ２４…ツイストロック金具（凹型）  ２５…ガイド溝  ２６…係止凹部  ２７ａ〜２７ｃ…電線  ２８…電柱  ３０…ハンディトング  ３１…ヘッド  ３２…ジョー  ３３…ツイストロック金具（凹型）  ３５…足し棒  ３６…ツイストロック金具（凸型）  ３７…係止ピン  ３８…固定ネジ  ３９…把持部  ４０…キャップ
【図１】
2016129122.tif 000003
【図２】
2016129122.tif 000004
【図３】
2016129122.tif 000005
【図４】
2016129122.tif 000006
【図５】
2016129122.tif 000007